(57)【要約】【課題】密閉性が高く、広口の容器にも対応でき、ピールプルーフ機能およびタンパーエビデント機能を有するキャップを提供する。【解決手段】キャップ１０のキャップ本体１２は、容器１の口部２を覆う天面部１４を有する。天面部１４には、円筒状の側面部１６が形成される。側面部１６の内側には、容器１の雄ねじ部３に螺合する雌ねじ部１８が形成される。側面部１６の下端には、剥取部２２が形成される。剥取部２２の下端には、係合部２４の保持部２６が形成される。保持部２６の下端には、係合片２８、２８、・・が形成される。側面部１６および剥取部２２間の部分と、剥取部２２および保持部２６間の部分と、剥取部２２を横断する部分とには、切断容易部３０ａ、３０ｂ、３０ｃが形成される。剥取部２２には、一端部２２ａに引掛部３２が形成され、他端部２２ｂに凹み部３４が形成される。【選択図】図１
2007030945.tif 000002
【特許請求の範囲】
【請求項１】
筒状の口部と、前記口部の外側面に形成される雄ねじ部と、前記雄ねじ部の下方に形成される突出部とを有する容器の口部に取り付けられるキャップであって、
前記容器の口部の端面を覆うための天面部、前記天面部の周縁部から下方にのびて形成される筒状の側面部、および前記側面部の内側に形成され、前記容器の雄ねじ部に螺合するための雌ねじ部を有するキャップ本体と、
前記キャップ本体の下端に環状に形成される剥取部と、
前記剥取部の下端に形成され、前記容器の突出部に係合する係合部とを備え、
切断することによって少なくとも前記剥取部を剥ぎ取って前記キャップ本体と前記係合部とを分離するための薄肉状の切断容易部が形成された、キャップ。
【請求項２】
前記切断容易部は、
前記キャップ本体および前記剥取部間の部分と、
前記剥取部および前記係合部間の部分と、
前記剥取部を横断する部分とに、それぞれ形成された、請求項１に記載のキャップ。
【請求項３】
前記剥取部を剥ぎ取りやすくするための凹み部が前記剥取部に形成された、請求項２に記載のキャップ。
【請求項４】
前記切断容易部は、
前記キャップ本体および前記剥取部間の部分と、
前記剥取部および前記係合部を横断する部分とに、それぞれ形成された、請求項１に記載のキャップ。
【請求項５】
前記剥取部を剥ぎ取りやすくするための引掛部が前記剥取部に形成された、請求項１ないし請求項４のいずれかに記載のキャップ。
【発明の詳細な説明】
【技術分野】
【０００１】
この発明はキャップに関し、特に、たとえば飲食品、サプリメント、医薬品などの容器の口部に取り付けられ、不用意に開封されにくいピールプルーフ（開封防止）機能と、開封されると未開封状態に戻すことができず開封されたことがわかるタンパーエビデント（不正開封防止）機能とを有するキャップに関する。
【背景技術】
【０００２】
従来のキャップには、最初に開封する際にバンド状の部分を剥ぎ取ってから開封するピールプルーフ機能を有するピールタイプのキャップがあった（例えば、特許文献１、特許文献２、特許文献３参照）。このようなピールタイプのキャップは、蓋部材を嵌合して容器の口部を密閉するものであり、さらに、蓋部材を本体に開閉可能に接続するヒンジ部を有するものもある。このようなキャップは、最近、卓上型のガム容器やサプリメント容器等で非常に多く使われるようになってきた。また、このようなキャップは、プラスチック原料としてＰＥ、ＰＰ、ＰＥＴなどが使用されている。なお、従来のキャップには、最初に開封する際にバンド状の部分を剥ぎ取るものではないが一部分を切断してから開封するキャップであって、蓋部材を嵌合して容器の口部を密閉するものであり、ヒンジ部を有するものがある（例えば、特許文献４参照）。
さらに、従来のキャップには、最初に開封する際にキャップを回転してキャップの周囲に部分的に形成されているブリッジ部を捩って切断してから開封するタンパーエビデント機能を有する捩り切断タイプのキャップがあった（例えば、特許文献５参照）。このような捩り切断タイプのキャップは、飲料品、医薬品、サプリメント、調味料等の容器で非常に多く使用されている。また、このようなキャップは、材料としてＰＥ、ＰＰ、ＰＥＴなどが用いられている。
【０００３】
【特許文献１】特開２００４−４２９１５号公報
【特許文献２】特開２００１−３４１７６２号公報
【特許文献３】特開２００４−１６１３２５号公報
【特許文献４】特開平７−４１０２８号公報
【特許文献５】特開平９−１５６６５６号公報
【発明の開示】
【発明が解決しようとする課題】
【０００４】
ところが、上述の従来のピールタイプのキャップでは、蓋部材を嵌合して容器の口部を密閉する構造なので、蓋部材による密閉性が悪く固形物を入れる容器にしか適さなく、さらに、蓋部材の嵌合性が悪く蓋部材を閉めにくいものが多く、また、ヒンジ部を有するものではヒンジ部の強度が弱いのでヒンジ部で蓋部材がちぎれてしまいやすい。
また、上述の従来の捩り切断タイプのキャップでは、シーリング部として最初の開封時にキャップを回転することによって切断されるブリッジ部が、キャップの周回に部分的にしか形成されていないので、不用意に切断されてしまいやすく、そのため、不用意に開封されてキャップが外れてしまいやすい。また、この捩り切断タイプのキャップでは、広口の容器のように口部の口径が大きくなると、それに対応してキャップ全体が大きくなるとともにブリッジ部が太くなって硬くなり、ブリッジ部が切断されにくくなって、開封されにくくなる。
そのため、従来、密閉性が高く、広口の容器にも対応でき、ピールプルーフ機能およびタンパーエビデント機能を有するキャップが望まれている。
【０００５】
それゆえに、この発明の主たる目的は、密閉性が高く、広口の容器にも対応でき、ピールプルーフ機能およびタンパーエビデント機能を有するキャップを提供することである。
【課題を解決するための手段】
【０００６】
この発明にかかるキャップは、筒状の口部と、口部の外側面に形成される雄ねじ部と、雄ねじ部の下方に形成される突出部とを有する容器の口部に取り付けられるキャップであって、容器の口部の端面を覆うための天面部、天面部の周縁部から下方にのびて形成される筒状の側面部、および側面部の内側に形成され、容器の雄ねじ部に螺合するための雌ねじ部を有するキャップ本体と、キャップ本体の下端に環状に形成される剥取部と、剥取部の下端に形成され、容器の突出部に係合する係合部とを備え、切断することによって少なくとも剥取部を剥ぎ取ってキャップ本体と係合部とを分離するための薄肉状の切断容易部が形成された、キャップである。
この発明にかかるキャップでは、切断容易部は、たとえば、キャップ本体および剥取部間の部分と、剥取部および係合部間の部分と、剥取部を横断する部分とに、それぞれ形成される。
また、この発明にかかるキャップでは、剥取部を剥ぎ取りやすくするための凹み部が剥取部に形成されていることが好ましい。
さらに、この発明にかかるキャップでは、切断容易部は、たとえば、キャップ本体および剥取部間の部分と、剥取部および係合部を横断する部分とに、それぞれ形成される。
また、この発明にかかるキャップでは、剥取部を剥ぎ取りやすくするための引掛部が剥取部に形成されていることが好ましい。
【０００７】
この発明にかかるキャップでは、薄肉状の切断容易部がブリッジ部のように部分的に形成されるのではないので、切断容易部が不用意に切断されにくく、そのため、たとえば剥取部が不用意に剥ぎ取られにくく、不用意に開封されにくいピールプルーフ機能を有する。
また、この発明にかかるキャップでは、キャップ本体の雌めじ部を容器の雄ねじ部に螺合してキャップ本体の天面部で容器の口部を密閉する構造なので、キャップ本体による容器の口部の密閉性がよい。
さらに、この発明にかかるキャップでは、容器の口部を開封する際にたとえば剥取部を剥ぎ取ってキャップ本体と係合部とを分離するので、剥ぎ取られた剥取部は未開封の元の状態に戻すことができず、そのため、開封されたことがわかるタンパーエビデント機能を有する。
また、この発明にかかるキャップでは、広口の容器に対応して全体が大きく形成されても、薄肉状の切断容易部は切断しやすいので、容器の口部を開封しやすく、広口の容器にも対応することができる。
また、この発明にかかるキャップでは、剥取部を剥ぎ取りやすくするための引掛部や凹み部が剥取部に形成されると、引掛部や凹み部を利用することによって、剥取部が剥ぎ取りやすい。
【発明の効果】
【０００８】
この発明によれば、密閉性が高く、広口の容器にも対応でき、ピールプルーフ機能およびタンパーエビデント機能を有するキャップが得られる。
【０００９】
この発明の上述の目的、その他の目的、特徴および利点は、図面を参照して行う以下の発明を実施するための最良の形態の説明から一層明らかとなろう。
【発明を実施するための最良の形態】
【００１０】
図１はこの発明にかかるキャップの一例を示す斜視図であり、図２はそのキャップの要部断面図であり、図３はそのキャップにおいて剥取部を剥ぎ取る状態を示す斜視図であり、図４はそのキャップにおいてキャップ本体、剥取部および係合部を分離した状態を示す斜視図である。また、図５はそのキャップを容器の口部に取り付けた状態を示す斜視図であり、図６はそのキャップを容器の口部に取り付けた状態を示す要部断面図である。
【００１１】
図１に示すキャップ１０は、たとえば図５および図６に示すように、容器１の口部２に取り付けられるので、まず、その容器１について説明する。
図５および図６に示す容器１は、たとえばＰＥ、ＰＰ、ＰＥＴ、ＰＳ、ＡＳ、ＰＥＮ等の合成樹脂で形成される。この容器１は、上部に円筒状の口部２を有する。口部２には、外側面に雄ねじ部３が形成される。また、口部２には、雄ねじ部３の下方に、突出部４が、口部２を周回するようにかつ外側に突出するように形成される。なお、容器１は、合成樹脂の代わりにガラスで形成されてもよい。
【００１２】
図１に示すキャップ１０は、全体が、たとえばＰＥ、ＰＰ、ＰＥＴ、ＰＳ、ＡＳ、ＰＥＮ等の合成樹脂で一体的に形成される。キャップ１０はキャップ本体１２を含む。キャップ本体１２は、容器１の口部２の端面を覆うための円板状の天面部１４を有する。天面部１４には、その周縁から下方にのびて、円筒状の側面部１６が形成される。側面部１６の内側には、図６に示すように、容器１の雄ねじ部３に螺合するための雌ねじ部１８が形成される。そのため、このキャップ本体１２は、容器１の口部２に被せ、回転して雌ねじ部１８を容器１の雄ねじ部３に螺合することによって、容器１の口部２に密閉性よく取り付けることができる。また、側面部１６の外側には、図１などに示すように、上下方向にのびる多数の突条からなる滑り止め部２０が形成される。そのため、このキャップ本体１２は、回転する際に滑りにくく、回転しやすい。
【００１３】
キャップ本体１２の下端すなわち側面部１６の下端には、帯状の剥取部２２が環状に形成される。帯状の剥取部２２は、長手方向における一端部２２ａおよび他端部２２ｂが図２に示すように接続され、環状に形成されている。この剥取部２２は、容器１の口部２を最初に開封する際に剥ぎ取られるものである。
【００１４】
剥取部２２の下端には、図１などに示すように、係合部２４が形成される。係合部２４は、容器１の突出部４に係合することによって、キャップ本体１２と分離されない限り、キャップ本体１２を容器１の口部２から外れないようにするためのものである。係合部２４は、リング状の保持部２６を含む。保持部２６は、剥取部２４の下端に形成される。保持部２６には、図４に示すように、その下端から内側にのびて、多数の係合片２８、２８、・・が形成される。これらの係合片２８、２８、・・は、先端が容器１の突出部４の下端に当接することによって突出部４に係合するためのものである。
【００１５】
キャップ本体１２の側面部１６と剥取部２２との間の部分には、図１などに示すように、その部分を周回するようにして、薄肉状の切断容易部３０ａが形成される。さらに、剥取部２２と係合部２４の保持部２６との間の部分にも、その部分を周回するようにして、薄肉状の切断容易部３０ｂが形成される。また、剥取部２２の一端部２２ａと他端部２２ｂとの間の部分には、剥取部２２を横断するように、薄肉状の切断容易部３０ｃが形成される。これらの切断容易部３０ａ、３０ｂおよび３０ｃは、それらが形成された部分を容易に切断することができるようにするためのものである。
【００１６】
また、剥取部２２の一端部２２ａの表面には、たとえば略Ｌ字状の引掛部３２が形成される。この場合、引掛部３２の大部分が剥取部２２の一端部２２ａの表面に一体的に形成され、引掛部３２の他の部分が係合部２４の保持部２６の表面上に配置される。この引掛部３２は、指などが引っ掛けられて剥取部２２の一端部２２ａを剥ぎ取りやすくするためのものである。
【００１７】
また、剥取部２２の他端部２２ｂには、その表面側の部分に、凹み部３４が形成される。凹み部３４は、剥取部２２の一端部２２ａに接近するに従って徐々に深くなるように形成される。この凹み部３４は、たとえば指などを剥取部２２の一端部２２ａおよび引掛部３２に引っ掛けて剥取部２２の一端部２２ａを剥ぎ取りやすくするためのものである。
【００１８】
このキャップ１０を容器１の口部２に取り付けるためには、まず、キャップ本体１２などが容器１の口部２に被せられる。この場合、係合部２４の係合片２８、２８、・・は、先端が上方に向けられる。そして、キャップ本体１２を回転して、雌ねじ部１８を容器１の雄ねじ部３に螺合することによって、係合部２４などが下方に変位され、係合部２４の係合片２８、２８、・・が容器１の突出部４に係合するように突出部４を越えて突出部４の下方に変位される。このようにして、キャップ１０は、容器１の口部２に取り付けられる。
【００１９】
キャップ１０が取り付けられた容器１の口部２を最初に開封するためには、まず、キャップ１０の剥取部２２が切断容易部３０ａ、３０ｂおよび３０ｃで切断されて剥ぎ取られ、キャップ本体１２と係合部２４とが分離される。この場合、剥取部２２は、引掛部３２および凹み部３４を利用して、図３に示すように、一端部２２ａから順に剥ぎ取られる。そして、係合部２４から分離されたキャップ本体１２を回転することによって、キャップ本体１２が容器１の口部２から外され、容器１の口部２が開封される。
【００２０】
また、開封された容器１の口部２を密閉するためには、キャップ本体１２を容器１の口部２に被せ、キャップ本体１２を回転して、雌ねじ部１８を容器１の雄ねじ部３に螺合することによって、容器１の口部２が密閉される。
【００２１】
このキャップ１０では、薄肉状の切断容易部３０ａ、３０ｂおよび３０ｃが、ブリッジ部のように部分的に形成されるのではなく、剥取部２２の上端および下端を周回するようにあるいは剥取部２２を横断するように形成されているので、切断容易部３０ａ、３０ｂおよび３０ｃが不用意に切断されにくい。そのため、このキャップ１０では、剥取部２２が不用意に剥ぎ取られにくく、不用意に開封されにくいピールプルーフ機能を有する。
【００２２】
また、このキャップ１０では、キャップ本体１２の雌めじ部１８を容器１の雄ねじ部３に螺合してキャップ本体１２の天面部１４で容器１の口部２を密閉する構造なので、キャップ本体１２による容器１の口部２の密閉性がよい。
【００２３】
さらに、このキャップ１０では、容器１の口部２を開封する際に剥取部２２を剥ぎ取ってキャップ本体１２と係合部２４とを分離するので、剥ぎ取られた剥取部２２は未開封の元の状態に戻すことができず、そのため、開封されたことがわかるタンパーエビデント機能を有する。なお、キャップ本体１２と係合部２４とを分離しなければ、キャップ本体１２を回転して容器１の口部２から外そうとしても、キャップ１０の係合部２４の係合片２８、２８、・・の上端が容器１の突出部４の下端に係合するので、キャップ本体１２を容器１の口部２から外すことはできない。
【００２４】
また、このキャップ１０では、広口の容器に対応して全体が大きく形成されても、薄肉状の切断容易部３０ａ、３０ｂおよび３０ｃが切断しやすいので、容器の口部を開封しやすく、たとえば、直径４０ｍｍ以上の口径を有する広口瓶や胴径と口径との比率が２：１以上の広口瓶などの広口の容器にも対応することができる。
【００２５】
また、このキャップ１０では、剥取部２２の一端部２２ａの表面に引掛部３２が形成され、剥取部２２の他端部２２ｂに凹み部３４が形成されているので、引掛部３２および凹み部３４を利用することによって、剥取部２２の一端部２２ａが非常に剥ぎ取りやすい。
【００２６】
図７はこの発明にかかるキャップの他の例を示す斜視図であり、図８はそのキャップの要部断面図であり、図９はそのキャップにおいて剥取部および係合部を剥ぎ取る状態を示す斜視図であり、図１０はそのキャップにおいてキャップ本体と、剥取部および係合部とを分離した状態を示す斜視図である。また、図１１は図７に示すキャップを容器の口部に取り付けた状態を示す斜視図であり、図１２はそのキャップを容器の口部に取り付けた状態を示す要部断面図である。
【００２７】
図７に示すキャップ１０は、図１に示すキャップ１０と比べて、剥取部２２に凹み部３４が形成されておらず、また、剥取部２２と係合部２４の保持部２６との間の部分を周回する切断容易部３０ｂが形成されていない代わりに、剥取部２２を横断する切断容易部３０ｃの下端から係合部２４の保持部２６の下端にわたって切断容易部３０ｄが形成されている。この切断容易部３０ｄは、切断容易部３０ｄの下端から中間部までの部分が切断容易部３０ａと平行に形成され、中間部から保持部２６の下端までの部分が切断容易部３０ａに対して斜めに形成されている。このように、切断容易部３０ｃおよび３０ｄは、剥取部２２と係合部２４とを横断するように形成されている。
【００２８】
図７に示すキャップ１０でも、図１に示すキャップ１０と同様にして、容器１の口部２に取り付けられる。
図７に示すキャップ１０が取り付けられた容器１の口部２を最初に開封するためには、まず、キャップ１０の剥取部２２および係合部２４が切断容易部３０ａ、３０ｃおよび３０ｄで切断されて剥ぎ取られ、キャップ本体１２と剥取部２２および係合部２４とが分離される。この場合、剥取部２２および係合部２４は、引掛部３２を利用して、図９に示すように、剥取部２２の一端部２２ａから順に剥ぎ取られる。
その後、図７に示すキャップ１０では、図１に示すキャップ１０と同様にして、容器１の口部２を開封したり密閉したりすることができる。
そして、図７に示すキャップ１０でも、図１に示すキャップ１０と同様の効果を奏する。
【００２９】
なお、上述の各キャップ１０では、剥取部２２の幅方向における両側が直線状に形成されているが、剥取部２２の幅方向における両側は波状など他の形状に形成されてもよい。
【００３０】
また、上述の各キャップ１０では、切断容易部３０ａ〜３０ｄは両主面が断面Ｖ字状に形成されているが、切断容易部は一方の主面のみが断面Ｖ字状に形成されてもよい。
【００３１】
さらに、図７に示すキャップ１０において、切断容易部３０ｄは、係合部２４を斜めに横断するように形成されているが、係合部２４を縦に横断するように形成されてもよい。
【００３２】
また、上述の各キャップ１０において、剥取部２２や切断容易部３０ａ〜３０ｄ以外の部分も、他の形状に任意に変更されてもよい。
【００３３】
図１３はこの発明にかかるさらに他のキャップを容器の口部に取り付けた状態を示す要部断面図であり、図１４はそのキャップの底面図解図である。図１３および図１４に示すキャップ１０は、図７に示すキャップ１０と比べて、キャップ本体１２の天面部１４の底面に、下方に突出するリング状のシール部１５が形成されている。このシール部１５は、キャップ本体１２を容器１の口部２に取り付けた際に、外周面が容器１の口部２の内周面に当接するように形成されている。なお、このキャップ１０のシール部１５が当接する容器１の口部２の内周面は、図１３に示すように、下方に従って狭まるように傾斜面状に形成されていることが好ましい。
図１３および図１４に示すキャップ１０では、図７に示すキャップ１０と同様の効果を奏するとともに、キャップ本体１２の天面部１４の底面に形成されているシール部１５の外周面を容器１の口部２の内周面に当接することによって容器１の口部２を密閉する構造なので、キャップ本体１２による容器１の口部２の密閉性がさらによいという効果も奏する。
このように、この発明は、キャップ本体の天面部の底面にシール部が形成されているキャップにも適用される。
【００３４】
図１５はこの発明にかかるさらに他のキャップを容器の口部に取り付けた状態を示す要部断面図であり、図１６はそのキャップの底面図解図である。図１５および図１６に示すキャップ１０は、図７に示すキャップ１０と比べて、キャップ本体１２の天面部１４の底面側に、収納部材１７が設けられている。この収納部材１７は、容器１の中に入れられるものとは別にたとえば乾燥剤などを収納するためのものであり、キャップ本体１２の天面部１４の径より若干小さい径のリング状のつば部１７ａを含む。つば部１７ａの中央には、有底円筒状の収納部１７ｂが形成され、収納部１７ｂの底には、たとえば４つの通気孔１７ｃ、１７ｃ・・が形成されている。なお、このキャップ１０を容器１の口部２に取り付けた際には、図１５に示すように、収納部材１７のつば部１７ａがキャップ本体１２の天面部１４と容器１の口部２とで挟まれ、容器１の口部２が密閉される。
図１５および図１６に示すキャップ１０では、図７に示すキャップ１０と同様の効果を奏するとともに、キャップ本体１２の天面部１４の底面側に収納部材１７が設けられているので、その収納部材１７の収納部１７ｂに、容器１に入れられるものとは別にたとえば乾燥剤などを入れることができるという効果も奏する。
このように、この発明は、キャップ本体の天面部の底面側に収納部材が設けられているキャップにも適用される。
【産業上の利用可能性】
【００３５】
この発明にかかるキャップは、たとえば、調味料、ガム、漬物、蜂蜜類、お菓子類、梅酒類、健康食品等の食品や、サプリメント、医薬品、試薬用の容器のキャップとして利用される。
【図面の簡単な説明】
【００３６】
【図１】この発明にかかるキャップの一例を示す斜視図である。
【図２】図１に示すキャップの要部断面図である。
【図３】図１に示すキャップにおいて剥取部を剥ぎ取る状態を示す斜視図である。
【図４】図１に示すキャップにおいてキャップ本体、剥取部および係合部を分離した状態を示す斜視図である。
【図５】図１に示すキャップを容器の口部に取り付けた状態を示す斜視図である。
【図６】図１に示すキャップを容器の口部に取り付けた状態を示す要部断面図である。
【図７】この発明にかかるキャップの他の例を示す斜視図である。
【図８】図７に示すキャップの要部断面図である。
【図９】図７に示すキャップにおいて剥取部および係合部を剥ぎ取る状態を示す斜視図である。
【図１０】図７に示すキャップにおいてキャップ本体と、剥取部および係合部とを分離した状態を示す斜視図である。
【図１１】図７に示すキャップを容器の口部に取り付けた状態を示す斜視図である。
【図１２】図７に示すキャップを容器の口部に取り付けた状態を示す要部断面図である。
【図１３】この発明にかかるさらに他のキャップを容器の口部に取り付けた状態を示す要部断面図である。
【図１４】図１３に示すキャップの底面図解図である。
【図１５】この発明にかかるさらに他のキャップを容器の口部に取り付けた状態を示す要部断面図である。
【図１６】図１５に示すキャップの底面図解図である。
【符号の説明】
【００３７】
１  容器
２  口部
３  雄ねじ部
４  突出部
１０  キャップ
１２  キャップ本体
１４  天面部
１５  シール部
１６  側面部
１７  収納部材
１７ａ  つば部
１７ｂ  収納部
１７ｃ  通気孔
１８  雌ねじ部
２０  滑り止め部
２２  剥取部
２２ａ  一端部
２２ｂ  他端部
２４  係合部
２６  保持部
２８  係合片
３０ａ、３０ｂ、３０ｃ、３０ｄ  切断容易部
３２  引掛部
３４  凹み部
【図１】
2007030945.tif 000003
【図２】
2007030945.tif 000004
【図３】
2007030945.tif 000005
【図４】
2007030945.tif 000006
【図５】
2007030945.tif 000007
【図６】
2007030945.tif 000008
【図７】
2007030945.tif 000009
【図８】
2007030945.tif 000010
【図９】
2007030945.tif 000011
【図１０】
2007030945.tif 000012
【図１１】
2007030945.tif 000013
【図１２】
2007030945.tif 000014
【図１３】
2007030945.tif 000015
【図１４】
2007030945.tif 000016
【図１５】
2007030945.tif 000017
【図１６】
2007030945.tif 000018